(57)【要約】      （修正有）【課題】代金支払機において支払処理をする客を撮像した撮像データを確実に記憶させることができるＰＯＳシステムを提供する。【解決手段】ＰＯＳシステムは、商品の登録処理を実施する商品登録機と、登録処理の実施によって生成された代金データに基づいて代金の支払処理を実施する代金支払機３０と、を備える。代金支払機３０は、代金支払機３０における支払処理時の客を撮像するカメラ３１４と、カメラ３１４によって撮像された撮像データを記憶する記憶部３１５と、記憶部３１５に一定期間記憶された動画データをストレージにおける記憶部に転送し、転送が完了したら転送された動画データを記憶部３１５から削除すると共に、記憶部３１５における記憶領域の空き容量に基づいて支払処理の受け付けの可否を決定する制御部と、を有している。【選択図】図４
2016218753.tif 000002
【特許請求の範囲】
【請求項１】
商品の登録処理を実施する商品登録機と、
前記登録処理の実施によって生成された代金データに基づいて代金の支払処理を実施する代金支払機と、を備え、
前記代金支払機は、
前記代金支払機において支払処理をする客を撮像する撮像部と、
前記撮像部によって撮像された撮像データを記憶する第１記憶部と、
前記第１記憶部に一定期間記憶された前記撮像データを、前記撮像データを記憶可能な、第１記憶部とは異なる第２記憶部に転送し、前記転送が完了したら前記転送された撮像データを前記第１記憶部から削除すると共に、前記第１記憶部における記憶領域の空き容量に基づいて前記支払処理の受け付けの可否を決定する制御部と、を有する、ＰＯＳシステム。
【請求項２】
前記商品登録機は、店員によって操作され、
前記代金支払機は、客によって操作される、請求項１記載のＰＯＳシステム。
【請求項３】
前記代金支払機は、複数備えられており、
前記商品登録機は、前記代金データを生成した場合には、複数の前記代金支払機のうち一の前記代金支払機に対し前記支払処理の受け付けが可能であるか否かを問い合わせ、
前記一の代金支払機は、前記商品登録機から前記問い合わせがあると、前記支払処理の受け付けの可否を決定し、当該決定が可である場合には前記代金データを受け入れ、当該決定が否である場合には前記代金データの受け入れを拒否し、
前記代金支払機は、前記一の代金支払機から前記代金データの受け付けが拒否されると、前記一の代金支払機とは異なる別の一の前記代金支払機に対し前記支払処理の受け付けが可能であるか否かを問い合わる、請求項１又は２記載のＰＯＳシステム。
【請求項４】
前記制御部は、前記第１記憶部における前記空き容量が所定値以上の場合に前記支払処理を受け付ける、請求項１〜３の何れか一項記載のＰＯＳシステム。
【請求項５】
前記撮像データには、識別情報が関連付けられている、請求項１〜４の何れか一項記載のＰＯＳシステム。
【請求項６】
前記代金支払機は、前記第１記憶部及び／又は前記第２記憶部に記憶された前記撮像データを表示する表示部を更に有する、請求項１〜５の何れか一項記載のＰＯＳシステム。
【発明の詳細な説明】
【技術分野】
【０００１】
本発明は、セミオート式のＰＯＳ（Point of Sales）システムに関する。
【背景技術】
【０００２】
商品の登録処理を実行する商品登録機と、登録処理の実行によって生成された代金データに基づいて代金の支払処理を実行する代金支払機と、を備えるセミオート式のＰＯＳシステムが知られている（例えば、特許文献１参照）。セミオート式のＰＯＳシステムでは、店員が商品登録機を操作し、客が代金支払機を操作することにより、代金の支払いに要する時間の短縮化が図られている。
【０００３】
このようなセミオート式のＰＯＳシステムでは、代金の支払いを客に任せているので、不正行為が行われないような対策を講じる必要がある。例えば、特許文献１には、登録処理とカメラによって撮像した客の撮像データとを関連付けて記憶し、支払処理が実施されていない登録処理に関連付けられた客の撮像データを抽出可能に構成されたＰＯＳシステムが開示されている。このＰＯＳシステムによれば、清算を実施していない客を容易に特定することができる。
【先行技術文献】
【特許文献】
【０００４】
【特許文献１】特開２０１４−１６８８０号公報
【発明の概要】
【発明が解決しようとする課題】
【０００５】
このようなＰＯＳシステムでは、代金支払機において支払処理をする際の客の撮像データを確実に記憶させる必要がある。しかしながら、上記従来のＰＯＳシステムでは、記憶部における容量不足等、撮像されたデータが記憶されなくなるような事態が想定されていない。
【０００６】
そこで、本発明は、代金支払機において支払処理をする客を撮像した撮像データを確実に記憶させることができるＰＯＳシステムを提供することを目的とする。
【課題を解決するための手段】
【０００７】
本発明のＰＯＳシステムは、商品の登録処理を実施する商品登録機と、登録処理の実施によって生成された代金データに基づいて代金の支払処理を実施する代金支払機と、を備え、代金支払機は、代金支払機において支払処理をする客を撮像する撮像部と、撮像部によって撮像された撮像データを記憶する第１記憶部と、第１記憶部に一定期間記憶された撮像データを、撮像データを記憶可能な、第１記憶部とは異なる第２記憶部に転送し、転送が完了したら転送された撮像データを第１記憶部から消去すると共に、第１記憶部における記憶領域の空き容量に基づいて支払処理の受け付けの可否を決定する制御部と、を有する。
【０００８】
この構成のＰＯＳシステムでは、代金支払機における第１記憶部の記憶領域の容量が不足する前に、第１記憶部に記憶された撮像データが第２記憶部に転送され、転送された撮像データが第１記憶部から消去される。これにより、第１記憶部の記憶領域が容量不足となることを事前に回避することができる。また、この構成のＰＯＳシステムでは、第１記憶部における記憶領域の空き容量が所定値に満たない場合には支払処理の受け付けが禁止され、第１記憶部における記憶領域の空き容量が所定値以上ある場合には支払処理の受け付けが許可される。これにより、支払処理をする客の撮像が途中でできなくなるような事象の発生を低減することができる。これらの結果、代金支払機において支払処理をする客を撮像した撮像データを確実に記憶させることができる。
【０００９】
本発明のＰＯＳシステムは、商品登録機は、店員によって操作され、代金支払機は、客によって操作されてもよい。
【００１０】
この構成のＰＯＳシステムでは、商品の代金の支払いに要される時間を短縮化することが可能となる。
【００１１】
本発明のＰＯＳシステムでは、代金支払機は、複数備えられており、商品登録機は、代金データを生成した場合には、複数の代金支払機のうち一の代金支払機に対し支払処理の受け付けが可能であるか否かを問い合わせ、一の代金支払機は、商品登録機から問い合わせがあると、支払処理の受け付けの可否を決定し、当該決定が可である場合には代金データを受け入れ、当該決定が否である場合には代金データの受け入れを拒否し、代金支払機は、一の代金支払機から代金データの受け付けが拒否されると、一の代金支払機とは異なる別の一の代金支払機に対し支払処理の受け付けが可能であるか否かを問い合わせてもよい。
【００１２】
この構成のＰＯＳシステムでは、空き容量に余裕のある代金支払機に対し代金データを送出することができるので、商品登録機に代金データが滞ることを防止できる。
【００１３】
本発明のＰＯＳシステムでは、代金支払機における制御部は、第１記憶部における空き容量が所定値以上の場合に支払処理を受け付けてもよい。
【００１４】
この構成のＰＯＳシステムでは、代金支払機において支払処理をする客を撮像した撮像データを確実に記憶することができる状態のときのみ、代金支払機に支払処理をさせることができる。
【００１５】
本発明のＰＯＳシステムでは、撮像データには、識別情報が関連付けられていてもよい。
【００１６】
この構成のＰＯＳシステムでは、第１記憶部から第２記憶部に別々に撮像データを転送した場合であっても、容易に関連する撮像データを抽出することできる。これにより、例えば、一連の撮像データを連続して表示（再生）することができる。
【００１７】
本発明のＰＯＳシステムでは、代金支払機は、第１記憶部又は第２記憶部に記憶された撮像データを表示する表示部を更に有していてもよい。
【００１８】
この構成のＰＯＳシステムでは、代金支払機が有する表示部において、第１記憶部又は第２記憶部に記憶された撮像データを表示することができる。
【発明の効果】
【００１９】
本発明によれば、代金支払機において支払処理をする客を撮像した撮像データを確実に記憶させることができる。
【図面の簡単な説明】
【００２０】
【図１】本発明の一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】図１のＰＯＳシステムのストレージの構成を示すブロック図である。
【図７】図１のＰＯＳシステムにおける代金支払機決定手順の例を示すシーケンス図である。
【発明を実施するための形態】
【００２１】
以下、図面を参照して一実施形態について説明する。図面の説明において、同一要素には同一符号を付し、重複する説明を省略する。図面の寸法比率は、説明のものと必ずしも一致していない。
【００２２】
〔ＰＯＳシステムの構成〕
図１に示されるように、ＰＯＳシステム１は、ストアコントローラ１０と、複数の商品登録機２０と、複数の代金支払機３０と、を備えている。ストアコントローラ１０、各商品登録機２０及び各代金支払機３０は、有線又は無線のＬＡＮ（Local Area Network）２によって相互に接続されている。ＰＯＳシステム１は、スーパーマーケット等の店舗に構築されたセミオート式のＰＯＳシステムである。つまり、ＰＯＳシステム１において、各商品登録機２０は、店員によって操作され、商品の登録処理を実行し、各代金支払機３０は、客によって操作され、登録処理を実行することによって生成された代金データに基づいて代金の支払処理を実行する。なお、店員は、ＰＯＳシステム１が導入されている店舗の従業者等及び使用者等を含み、広義には、当該店舗の関係業者を含む。客とは、商品を購入する及び／又は購入した者を含み、広義には、店舗に対して代金の授受を行う及び／又は行った者を含む。
【００２３】
〔ストアコントローラ１０〕
ストアコントローラ１０は、ＰＯＳシステム１を制御するコンピュータであり、商品マスタ等の種々の情報を管理する。ストアコントローラ１０は、各商品登録機２０、各代金支払機３０及びストレージ５０と通信可能であり、各商品登録機２０及び各代金支払機３０に商品マスタを適宜送信する。商品マスタとは、各商品についての商品情報（商品の識別情報、並びに、商品名称及び販売価格に関する情報等）を格納したファイルである。商品マスタは、適宜更新される。
【００２４】
〔商品登録機２０〕
次に、商品登録機２０について説明する。図２に示されるように、商品登録機２０は、ＣＰＵ（Central Processing Unit）２０１と、ＲＯＭ（Read Only Memory）２０２と、ＲＡＭ（Random Access Memory）２０３と、スキャナ２０４と、店員用表示部２０５と、客用表示部２０６と、操作部２０７と、通信部２０８と、スピーカ２０９と、印刷部２１０と、を備えている。これらは、バス２１５によって相互に接続されている。なお、商品登録機２０の外観は、図３に示されるとおりである。
【００２５】
ＣＰＵ２０１は、ＲＯＭ２０２に記憶されているプログラムを読み出して実行することにより、商品登録機２０の動作を制御する。ＲＯＭ２０２は、商品登録機２０の動作を制御するためのプログラムを記憶している。ＲＡＭ２０３は、ストアコントローラ１０から送信された商品マスタ、スキャナ２０４によって読み取られたバーコード（商品コード）に基づいて商品マスタから取得された商品情報、及び操作履歴に関する情報等を随時記憶する。
【００２６】
スキャナ２０４は、商品に付されているバーコード等を光学的に読み取る。店員用表示部２０５は、店員に対し、スキャナ２０４によって読み取られたバーコードに対応する商品名称及び販売価格等を表示する。客用表示部２０６は、客に対し、スキャナ２０４によって読み取られたバーコードに対応する商品名称及び販売価格等を表示する。なお、店員用表示部２０５及び客用表示部２０６は、タッチパネルを構成することで、操作部としても機能する。
【００２７】
操作部２０７は、商品登録機２０を動作させるための各種の操作ボタン（小計キー、現計キー、置数キー、訂正キー及びプリセットキー等）を有している。通信部２０８は、ＬＡＮ２を介して他の機器と通信を行う。スピーカ２０９は、商品登録機２０の操作音、及び各種の音声等を出力する。印刷部２１０は、適宜、各種の文字等を紙片に印刷して当該紙片を発行する。
【００２８】
以上のように構成された商品登録機２０においては、店員による操作の下、客が購入しようとしている商品に付されたバーコードがスキャナ２０４によって読み取られると、ＣＰＵ２０１によって商品マスタから商品情報が取得されて代金データが生成される（登録処理の実施）。代金データには、客が購入しようとしている全ての商品についての単価及び数量、並びに、合計金額等に関する情報が含まれている。
【００２９】
そして、生成された代金データがいずれか１つの代金支払機３０によって取得されると、客に対し、複数の代金支払機３０のうち代金データを取得した代金支払機３０（すなわち、客が代金の支払いを行うべき代金支払機３０）が報知される。商品登録機２０では、客用表示部２０６及び印刷部２１０が報知部として機能する。具体的には、客用表示部２０６は、例えば、各代金支払機３０に付された識別番号のうち、代金データを取得した代金支払機３０の識別番号を表示する。印刷部２１０は、代金データを取得した代金支払機３０の識別番号、及び代金データの識別情報を示すバーコード等を紙片に印刷して、当該紙片（会計券）を発行する。
【００３０】
なお、スピーカ２０９が報知部として機能してもよい。その場合、スピーカ２０９は、例えば、各代金支払機３０に付された識別番号のうち、代金データを取得した代金支払機３０の識別番号を示す音声を出力する。商品登録機２０では、客用表示部２０６、スピーカ２０９及び印刷部２１０の少なくとも１つを報知部として機能させることができる。
【００３１】
〔代金支払機３０〕
次に、代金支払機３０について説明する。図４に示されるように、代金支払機３０は、ＣＰＵ３０１と、ＲＯＭ３０２と、ＲＡＭ３０３と、スキャナ３０４と、表示部３０５と、操作部３０７と、通信部３０８と、スピーカ３０９と、印刷部３１０と、決済部３１１と、サインポール３１２と、人感知センサ３１３と、カメラ（撮像部）３１４と、記憶部（第１記憶部）３１５と、を備えている。これらは、バス３２０によって相互に接続されている。なお、代金支払機３０の外観は、図５に示されるとおりである。
【００３２】
ＣＰＵ３０１は、ＲＯＭ３０２に記憶されているプログラムを読み出して実行することにより、代金支払機３０の動作を制御する。ＲＯＭ３０２は、代金支払機３０の動作を制御するためのプログラムを記憶している。ＲＡＭ３０３は、ストアコントローラ１０から送信された商品マスタ、及び操作履歴に関する情報等を随時記憶する。スキャナ３０４は、代金支払機３０から出力された会計券に印刷されたバーコード等、又は商品又は物品等に付されたバーコード等を光学的に読み取る。
【００３３】
表示部３０５は、客に対し、客が代金の支払いを行うための操作手順等を表示する。なお、表示部３０５は、タッチパネルを構成することで、操作部としても機能する。また、本実施形態の代金支払機３０は、記憶部３１５及び／又はストレージ５０の記憶部（第２記憶部）５１０に記憶された動画データ（撮像データ）を表示（再生）する。
【００３４】
操作部３０７は、代金支払機３０を動作させるための各種の操作ボタン（訂正キー及びプリセットキー等）を有している。通信部３０８は、ＬＡＮ２を介して他の機器と通信を行う。本実施形態の代金支払機３０では、通信部３０８は、記憶部３１５に一定期間記憶された動画データをストレージ５０の記憶部５１０に転送する。また、通信部３０８は、ストアコントローラ１０に記憶された動画データを代金支払機３０の表示部３０５において再生させるための当該動画データを受信する。
【００３５】
スピーカ３０９は、代金支払機３０の操作音、及び各種の音声等を出力する。印刷部３１０は、客が代金の支払いを行った際に、客に対し、購入した商品の一覧、各商品の金額、合計金額、受領金額及び釣り金額等を紙片に印刷して当該紙片（レシート）を発行する。
【００３６】
決済部３１１は、紙幣投入兼排出口３１１ａ、硬貨投入口３１１ｂ、硬貨排出口３１１ｃ、クレジットカード投入兼排出口３１１ｄ及び電子マネーリーダ３１１ｅ、並びに、それらを制御する制御部（図示省略）を有している。紙幣投入兼排出口３１１ａ、硬貨投入口３１１ｂ及び硬貨排出口３１１ｃは、現金決済部として機能する。客は、紙幣投入兼排出口３１１ａ等の現金決済部を介した現金での代金の支払い、クレジットカードリーダを介したクレジットカードでの代金の支払い、及び電子マネーリーダを介した電子マネーでの代金の支払いの少なくとも１つを選択することができる。
【００３７】
サインポール３１２は、複数色の表示灯を点灯又は点滅させることで、客が代金の支払いを行うための操作の実行が可能であること、及び何らかの異常が発生していること等を報知する。人感知センサ３１３は、代金支払機３０前の所定領域内に存在する客等を検知する。
【００３８】
カメラ３１４は、代金支払機３０前の所定領域内に存在する客等を撮像する。すなわち、カメラ３１４は、代金支払機３０において支払処理をする客を撮像する。カメラ３１４によって撮像されたデータは、動画データとして記憶部３１５に記憶される。
【００３９】
記憶部３１５は、カメラ３１４によって撮像された動画データを一定期間記憶する。一定期間とは、例えば、所定の時間（例えば、１時間）としたり、所定の支払処理の回数（例えば、２０回）としたりすることができる。動画データは、識別情報が関連付けられた状態で記憶部３１５に記憶される。識別情報の例は、例えば、動画データの録画開始時刻等をキーとした固有の番号である。
【００４０】
以上のように構成された代金支払機３０では、ＣＰＵ３０１、ＲＯＭ３０２及びＲＡＭ３０３は、記憶部３１５に一定期間記憶された動画データを、ストレージ５０における記憶部５１０に転送し、転送が完了したら転送された動画データを記憶部３１５から削除すると共に、記憶部３１５における記憶領域の空き容量に基づいて支払処理の受け付けの可否を決定する制御部として機能する。
【００４１】
記憶部３１５における記憶領域の空き容量が全体の容量の、例えば２０％以上である場合には、制御部は、商品登録機２０において生成されたデータの引き取りが可能である旨通知する許可信号を商品登録機２０に送信する。許可信号を受信した商品登録機２０は、許可信号を送信した代金支払機３０に代金データを送信する。これにより、代金支払機３０は、支払処理が実行可能な状態とする。
【００４２】
これに対し、記憶部３１５における記憶領域の空き容量が全体の容量の、例えば２０％より少ない場合には、制御部は、商品登録機２０において生成されたデータを引き取りが不能である旨通知する拒否信号を商品登録機２０に送信する。拒否信号を受信した商品登録機２０は、拒否信号を送信した代金支払機３０には代金データを送信しない。
【００４３】
なお、一度、拒否信号を商品登録機２０に送信した代金支払機３０であっても、ストレージ５０の記憶部５１０に動画データを転送し、記憶部３１５における記憶領域の空き容量が、例えば２０％以上となった場合には、制御部は、商品登録機２０において生成されたデータの引き取りを可能にする。言い換えれば、記憶部３１５における記憶領域の空き容量が、例えば２０％より少ない場合には、制御部は、商品登録機２０において生成されたデータの引き取りを可能な状態とはしない。
【００４４】
また、制御部は、例えば、記憶部３１５に動画データが記憶されてから１時間が経過すると、記憶部３１５に記憶された動画データをストレージ５０における記憶部５１０に転送し、転送が完了したら転送された動画データを記憶部３１５から削除する。
【００４５】
代金支払機３０では、代金データがＣＰＵ３０１によって取得されると、支払処理が可能になる。そして、代金支払機３０前の所定領域内に入った客が人感知センサ３１３によって検知されると、客が代金の支払いを行うための操作手順の表示が表示部３０５によって開始される。このとき、操作手順を示す音声の出力もスピーカ３０９によって開始される。なお、表示部３０５の画面が客によってタッチされたとき、操作部３０７の何らかのボタンが客によって押下されたとき、及び代金支払機３０前の所定領域内に入った客がカメラ３１４によって撮像されたときのいずれかのときに、操作手順の表示が表示部３０５によって開始されると共に、操作手順を示す音声の出力がスピーカ３０９によって開始されてもよい。
【００４６】
客は、表示部３０５による表示、及びスピーカ３０９による音声の出力に従って、操作部３０７、及びタッチパネルを構成する表示部３０５を介して代金支払機３０を操作し、代金の支払いを行う。具体的には、客が、商品登録機２０において発行された会計券に印刷されたバーコードをスキャナ３０４に読み取らせると、決済種別を選択するための選択画面が表示部３０５によって表示される。客は、表示部３０５において、現金、クレジットカード及び電子マネーのいずれかの決済種別、又は併用する複数の決済種別を選択し、決済部３１１において、選択した決済種別での支払いを行う。客によって代金の支払いが行われると、購入した商品の一覧等が印刷されたレシートが印刷部３１０によって発行される。
【００４７】
〔ストレージ５０〕
次に、ストレージ５０について説明する。図６に示されるように、ストレージ５０は、ＣＰＵ５０１と、ＲＯＭ５０２と、ＲＡＭ５０３と、通信部５０８と、記憶部５１０と、を備えている。これらは、バス５１５によって相互に接続されている。
【００４８】
本実施形態のストレージ５０では、通信部５０８は、代金支払機３０から送信されてくる動画データを受信する。また、通信部５０８は、記憶部５１０に記憶された動画データを代金支払機３０の表示部３０５において再生する際に、当該動画データを転送する。
【００４９】
〔代金支払機決定手順の例〕
次に、図７を参照して、上述したＰＯＳシステム１における代金支払機決定手順の例について説明する。まず、客が購入しようとしている商品に付されたバーコードをスキャナ２０４に読み取らせる操作を開始すると、商品登録機２０は、ストアコントローラ１０にスキャナ２０４で読み取ったバーコードに対応する商品情報の照会を求め、バーコードに対応する商品名称及び販売価格等を取得する。店員が客の購入しようとしている商品全てのバーコードをスキャニングすることにより、商品の登録処理が終了する（ステップＳ０１）。
【００５０】
商品登録機２０は、登録処理の終了後に代金データを生成する（ステップＳ０２）。商品登録機２０は、ストアコントローラ１０に当該代金データを送信して登録させる共に、一の代金支払機３０Ａに対し、代金支払処理が可能か否かの問い合わせを実行する（ステップＳ０３）。代金支払機３０Ａが上記問い合わせを受信すると、ＣＰＵ３０１、ＲＯＭ３０２、及びＲＡＭ３０３からなる制御部は、記憶部３１５における記憶領域の空き容量に基づいて引き受け可否を判定する（ステップＳ０４）。制御部は、記憶領域の空き容量に基づいて引き受けを拒否する場合には、拒否信号を商品登録機２０に送信する（ステップＳ０５）。
【００５１】
商品登録機２０は、代金支払機３０Ａから拒否信号を受信すると、他の代金支払機３０Ｂに対し、代金支払処理が可能か否かの問い合わせを実行する（ステップＳ０６）。代金支払機３０Ｂが上記問い合わせを受信すると、ＣＰＵ３０１、ＲＯＭ３０２、及びＲＡＭ３０３からなる制御部は、記憶部３１５における記憶領域の空き容量に基づいて引き受け可否を判定する（ステップＳ０７）。制御部は、記憶領域の空き容量に基づいて引き受けを許可する場合には、許可信号を商品登録機２０に送信する（ステップＳ０８）。
【００５２】
商品登録機２０は、代金支払機３０Ｂから許可信号を受信すると、ステップＳ０２において生成した代金データを、許可信号を送信した代金支払機３０Ｂに対して送信する（ステップＳ０９）。代金データを取得した代金支払機３０Ｂは、代金の支払処理が可能になる（ステップＳ１０）。これにより、客が、決済部３１１を介し代金の支払いを行うと、支払処理が実行される。次に、代金支払機３０は、レシートを発券し、一連の支払処理を終了する。
【００５３】
〔作用効果〕
上記実施形態のＰＯＳシステム１では、代金支払機３０における記憶部３１５の記憶領域の容量が不足する前に、記憶部３１５に記憶された動画データがストレージ５０の記憶部５１０に転送され、転送された動画データが記憶部３１５から消去される。これにより、記憶部３１５の記憶領域が容量不足となることを事前に回避することができる。また、上記実施形態のＰＯＳシステム１では、記憶部３１５における記憶領域の空き容量が所定値に満たない場合には支払処理の受け付けが禁止され、記憶部３１５における記憶領域の空き容量が所定値以上ある場合には支払処理の受け付けが許可される。これにより、支払処理をする客の動画撮影が途中でできなくなるような事象の発生を低減することができる。これらの結果、代金支払機３０において支払処理をする客を撮像した動画データを確実に記憶させることができる。
【００５４】
上記実施形態のＰＯＳシステム１では、記憶部３１５に記憶される動画データには、識別情報が関連付けられているので、記憶部３１５からストレージ５０における記憶部５１０に別々に動画データを転送した場合であっても、容易に関連する動画データを抽出することできる。これにより、例えば、一連の動画データを連続して表示（再生）することができる。
【００５５】
上記実施形態のＰＯＳシステム１では、代金支払機３０は、記憶部３１５又はストレージ５０における記憶部５１０に記憶された動画データを表示部３０５に表示（再生）できるので、容易に動画データを確認することができる。
【００５６】
〔変形例〕
以上、一実施形態について説明したが、本発明は、上記実施形態に限られるものではなく、発明の趣旨を逸脱しない範囲で種々の変更が可能である。
【００５７】
上記実施形態では、代金支払機３０の記憶部３１５から動画データが転送される記憶部として、ネットワーク上にあるストレージ５０の記憶部５１０に記憶させる例を挙げて説明したが、本発明はこれに限定されない。ネットワーク上にストレージ５０を設ける構成ではなく、例えば、ストアコントローラ１０の記憶部に動画データを転送する構成としてもよい。
【００５８】
また、代金支払機３０内に別途、記憶部３１５とは異なる予備記憶部を設け、当該記憶部に動画データを転送する構成としてもよい。更にこの場合には、一の代金支払機３０Ａ（３０）の記憶部３１５に記憶された動画データを、他の代金支払機３０Ｂ（３０）の予備記憶部に転送する構成としてもよい。この構成とすれば、一の代金支払機３０Ａが故障した場合であっても、動画データの転送又は動画データの再生が可能になる。
【００５９】
上記実施形態又は変形例では、代金支払機３０における記憶部３１５に記憶されてから所定時間（例えば、１時間）が経過した場合に、記憶部３１５とは異なる記憶部に転送する例を挙げて説明したがこれに限定されない。例えば、記憶部３１５の空き容量に基づいて（例えば、空き容量が全体容量の２０％を下回ったとき）、記憶部３１５とは異なる記憶部に動画データが転送される構成としてもよい。
【００６０】
上記実施形態又は変形例では、商品登録機２０において生成された代金データを商品登録機２０が保存したが、当該代金データをストアコントローラ１０が保存するようにしてもよい。また、上記実施形態又は変形例では、商品登録機２０が代金データを生成したが、商品登録機２０によって実行された商品の登録処理に基づいてストアコントローラ１０代金データを生成するようにしてもよい。この場合、ストアコントローラ１０が、各代金支払機３０に代金支払処理の問い合わせを行い、ストアコントローラ１０が、代金データの送信を行ってもよい。
【００６１】
上記実施形態又は変形例では、代金支払機３０は、商品登録機２０又はストアコントローラ１０から代金データが送信されてくる（代金支払処理の問い合わせに受け付け可能である信号を送信した場合）例を挙げて説明したが、本発明はこれに限定されない。例えば、代金支払機３０が、自機の記憶部３１５における記憶領域の空き容量に基づいて支払処理の受け付けることができると判定した場合に、商品登録機２０又はストアコントローラ１０に保存されている代金データを自ら取得しにいく構成であってもよい。
【００６２】
上記実施形態又は変形例では、上記実施形態又は変形例では、撮像データとして動画データを例に挙げて説明したが、本発明はこれに限定されず、例えば、静止画データ又は音声データであってもよい。
【００６３】
以上説明した種々の実施形態及び変形例は、本発明の趣旨を逸脱しない範囲で種々、組み合わせられてもよい。
【符号の説明】
【００６４】
１…ＰＯＳシステム、１０…ストアコントローラ、２０…商品登録機、３０，３０Ａ，３０Ｂ…代金支払機、５０…ストレージ、３０１…ＣＰＵ（制御部）、３０２…ＲＯＭ（制御部）、３０３…ＲＡＭ（制御部）、３０５…表示部、３０８…通信部、３１４…カメラ（撮像部）、３１５…記憶部（第１記憶部）、５０８…通信部、５１０…記憶部（第２記憶部）。
【図１】
2016218753.tif 000003
【図２】
2016218753.tif 000004
【図３】
2016218753.tif 000005
【図４】
2016218753.tif 000006
【図５】
2016218753.tif 000007
【図６】
2016218753.tif 000008
【図７】
2016218753.tif 000009